(57)【特許請求の範囲】
【請求項１】
所定の間隔を保持しながら対向して配設される一対のガラス戸と、複数の画設部が内部に形成される枠材とからなる二重ガラス窓であって、前記一対のガラス戸、前記枠材及び気密材で密閉される中間室と、前記枠材の内部に浸入した水を排出するための排水経路と、前記中間室の空気を建物の外に吐き出すための吐出経路及び外気を該中間室に吸い込むための吸込経路からなる換気経路とを備えており、
前記排水経路は、複数の前記画設部のうち一部の画設部を通り抜けるように構成され、
前記換気経路は、前記排水経路が通り抜ける前記画設部とは別途の前記画設部を通り抜けるように構成された
ことを特徴とする、二重ガラス窓。
【発明の詳細な説明】
【０００１】
【発明の属する技術分野】
本発明は、建築物の開口部として、防音性、断熱性等の向上を図る目的で用いられる二重ガラス窓に関する。
【０００２】
【従来の技術】
従来のこの種の二重ガラス窓としては、例えば所定の間隔を保持しながら対向して配設される一対のガラス戸と、複数の画設部を内部に形成される枠材とからなり、一対のガラス戸、枠材及び気密材とで密閉される中間室と、前記画設部を通り抜ける排水経路であって、前記中間室に浸入した水を排出するためのものとを備えるもの、がある。
【０００３】
ここで、画設部とは、枠材の内部領域を壁で複数の領域に仕切った結果、複数の区画として設けられることとなった部分、をいう。このような画設部は、一般的には、枠材のうち、押し出し成形で作られるものの内部に形成される場合が多い。
【０００４】
また、排水経路は、画設部を通り抜けるものであるが、具体的には、画設部に孔を設けて雨水等の浸入水を自然流下により枠材の外に排出しようとするような技術的手段として構成されるものである。
【０００５】
このような排水経路によれば、枠材自体の隙間からの枠材の内部への浸入水のみならず、中間室において発生することとなった結露水をも、画設部に設けられた孔を通じて枠材の外へと排出することが可能となる。また、ガラス戸と枠材との隙間からの中間室への浸入水も僅かながら存在するが、これも、結露水と同様、枠材の外へと排出することができる。
【０００６】
かかる二重ガラス窓によれば、中間室において室内外の温度差を緩衝する機能を果たすような空気層が形成されるので、内側ガラス戸の部屋側ガラス表面における結露の発生を防止することが可能となる。
【０００７】
【発明が解決しようとする課題】
しかしながら、かかる二重ガラス窓では、中間室の空気を完全な乾燥状態に維持することがメンテナンスの関係上殆ど不可能であり、かといって中間室の空気についての十分な換気経路が意図的に確保されているとはいえず、実際上排水経路が換気経路としての機能をも果たすこととなっていることから、以下のような不具合がある。
【０００８】
すなわち、かかる二重ガラス窓にあっては、直接雨水のかからない場所に設置するなどの浸入水に対する十分な配慮がなされているが、枠材自体の隙間からの浸入水、中間室における結露水の発生及びガラス戸及び枠材の隙間からの浸入水は、どうしても避けられない。それゆえ、前記したような排水経路により、かかる浸入水を枠材の外まで排出することとしている。
【０００９】
ところが、浸入水の全部が排水経路を通じて枠材の外に排出されるわけではなく、浸入水の一部が、必ず表面張力で排水経路が通り抜ける画設部の内側表面に吸着して残存した状態となる。
それゆえ、かかる状態で枠材自体や枠材内部の空気が暖まれば、浸入水が不可避的に水蒸気となって換気経路としての排水経路を通じて逆流して中間室に滞留してしまい、かかる中間室の湿った空気が外気で冷やされた外側ガラス戸の部屋側ガラス表面に接する結果、結露を発生させてしまう。
【００１０】
特に、かかる二重ガラス窓が南面に設けられる場合のように、枠材や枠材の内部空気が暖まり易い環境にある場合において、かかる不具合は顕著に現れることとなる。
【００１１】
そこで、本発明の課題は、中間室において結露が発生しないように、中間室に湿った空気が滞留しないような二重ガラス窓を提供することにある。
【００１２】
【課題を解決するための手段】
すなわち、本発明に係る二重ガラス窓は、所定の間隔を保持しながら対向して配設される一対のガラス戸と、複数の画設部が内部に形成される枠材とからなる二重ガラス窓であって、前記一対のガラス戸、前記枠材及び気密材で密閉される中間室と、前記枠材の内部に浸入した水を排出するための排水経路と、前記中間室の空気を建物の外に吐き出すための吐出経路及び外気を該中間室に吸い込むための吸込経路からなる換気経路とを備えており、前記排水経路は、複数の前記画設部のうち一部の画設部を通り抜けるように構成され、前記換気経路は、前記排水経路が通り抜ける前記画設部とは別途の前記画設部を通り抜けるように構成されたことを特徴としている。
【００１３】
本発明に係る二重ガラス窓によれば、中間室の空気についての十分な換気経路が意図的に確保されているのみならず、該換気経路が排水経路が通り抜けない画設部を通り抜けることとなっており、換気経路が通り抜ける画設部の内部に浸入水が残存することは起こり得ないので、浸入水が水蒸気となって換気経路を通じて中間室に逆流することもなく、中間室に湿った空気が滞留するようなこととはならない。
したがって、かかる二重ガラス窓によれば、中間室の空気の湿度が少ないレベルに維持されることになるので、中間室の空気が外気で冷やされた外側ガラス戸の部屋側ガラス表面に接することとなっても、結露が発生するような状況が起こり得ない。
このような技術的手段において、「排水経路と干渉しないように設けられた換気経路」とは、排水経路が通り抜ける画設部に係る領域と換気経路が通り抜ける画設部に係る領域との間で相互に空気が流通しないこととなっているような換気経路を意味する。このような換気経路としては、例えば排水経路が通り抜けない画設部を通り抜けるように設けられた換気経路がある。
【００１４】
【発明の実施の形態】
以下、添付図面に基づいて本発明の実施の形態を詳細に説明する。
【００１５】
図１は本発明の一実施の形態に係る二重ガラス窓の詳細構成を示す縦断面図、図２は該二重ガラス窓の概略構成及び作用を示す横断面図である。なお、以下では、寒冷地の建築物に設置され断熱性能を増大させるような二重ガラス窓について説明するが、この説明は、空港や幹線道路等の周辺の建築物に設置され防音性能を増大させるような二重ガラス窓についても等しく妥当する。また、以下の説明は、ドレーキップ窓についてのものであるが、フィックス窓についても妥当性を有するものである。
【００１６】
本実施の形態における二重ガラス窓１は、図１に示すように、高層の建築物２における高層階の外周壁２ａ開口部に設けられ、耐風圧性、気密性、水密性、遮音性、断熱性に特に優れた性能を発揮するアルミニウム合金製の建具であって、一対のガラス戸１１と、枠材１２とからなり、中間室１３と、排水経路１４と、換気経路１５とを備えるものとして構成されている。
以下、各構成要素について詳細に説明する。
【００１７】
（１）一対のガラス戸１１
一対のガラス戸１１は、後記する枠材１２の間に嵌装されることにより、所定の間隔を保持しながら対向して配設されるものである。
【００１８】
この一対のガラス戸１１は、かまち２１の間に単板ガラスを入れた外側ガラス戸１１ａと、かまち２１の間に複層ガラスを入れた内側ガラス戸１１ｂとからなっている。
【００１９】
すなわち、このような一対のガラス戸１１によれば、所定の間隔を保持した二重構造のガラス戸を使用したことに加え、内側ガラス戸１１ｂに複層ガラスを使用したので、熱貫流抵抗が相当に大きくなり、これにより高い断熱性能を担保することが可能となる。
【００２０】
（２）枠材１２
枠材１２は、押出し成形されたアルミニウム合金製のサッシバーを組み合わせてなるものであり、複数の画設部２２が内部に形成されている。
ここで、画設部２２とは、アルミニウム合金製の枠材１２の内部領域を押出し成形によって壁で複数の領域に仕切った結果、複数の区画として設けられることとなった部分を意味する。
このような枠材１２は、アルミニウム合金製の枠材１２がヒートブリッジとなり、枠材１２の部屋２ｂ側表面における結露の発生を防止すべく、外側の分割片と内側の分割片とからなっている。
【００２１】
なお、複数の画設部２２は、後記するように、排水経路が通り抜ける画設部２２ａと換気経路が通り抜ける画設部２２ｂとの間においては、壁で仕切った結果空気が流通しないこととなっており、それゆえ、排水経路が通り抜ける画設部２２ａの湿った空気が、換気経路１５を通じて中間室１３に逆流するようなこととはならない。
【００２２】
ところで、本実施の形態のような二重ガラス窓１が高層の建築物２における高層階に設置されるような場合には、部屋２ｂが正圧となるために該部屋２ｂの湿った空気が不可避的に枠材１２の内部に流入することとなる。従来の二重ガラス窓では、この流入した湿った空気が換気経路としての排水経路を通じて中間室に流入して滞留してしまう結果、外側ガラス戸の部屋側ガラス表面に結露が発生する場合も少なくなかった。
【００２３】
しかし、本実施の形態における二重ガラス窓１にあっては、図１に示すように、中間室１３からの換気経路１５が部屋２ｂの空気が流入することの起こり得ない外側ガラス戸１１ａの下かまち２１ａ及び中間室１３の下縁部２３ａに隣接する画設部２２を通り抜けることとなっているので、部屋２ｂの湿った空気が枠材１２の内部に流入することとなっても、換気経路１５を通じて中間室１３に逆流するようなこととはならない。
【００２４】
（３）中間室１３
中間室１３は、外側ガラス戸１１ａと、内側ガラス戸１１ｂと、枠材１２と、気密材たるゴムパッキン２４とで密閉されてなるものであり、室内外の温度差を緩衝する機能を果たすような空気層を形成する役割を果たすものである。
【００２５】
すなわち、本実施の形態における二重ガラス窓１にあっては、前記したような理由から、枠材１２が外側の分割片と内側の分割片とからなっている。
【００２６】
そこで、本実施の形態においては、図２に示すように、中間室１３の外周部であって外側の分割片及び内側の分割片の隙間に切れ目のないリング状のゴムパッキン２４であって上辺部２４ａ、下辺部２４ｂ及び立て辺部２４ｃからなるものを配設することにより、中間室１３の気密性を確保することとしたものである。そして、この中間室１３で空気層を形成することにより、二重ガラス窓１の断熱性能が担保されることになる。
【００２７】
ここで、中間室１３の気密性は、中間室１３の空気を建築物２の外に吐き出し、外気を中間室１３に吸い込む換気経路１５の機能を妨げない限度で確保されている。それゆえ、ゴムパッキン２４のうち、上辺部２４ａ及び下辺部２４ｂには、図２に示すように、換気経路１５の一部を構成する複数の通気孔（吐出内通気孔３１、吸込内通気孔３６）が設けられている。
【００２８】
（４）排水経路１４
排水経路１４は、画設部２２を通り抜けるものであり、枠材１２自体の隙間からの浸入水を枠材１２の外に排出する役割を果たすものである。
【００２９】
排水経路１４は、具体的には、図１に示すように、換気経路が通り抜ける画設部２２ｂ以外の画設部２２、すなわち、排水経路が通り抜ける画設部２２ａと、これらの排水経路が通り抜ける画設部２２ａ同士を連通させる内通水孔３３と、これらの排水経路が通り抜ける画設部２２ａのうち最も下に位置するものと枠材１２の外とを連通させる外通水孔３４とから構成されている。
【００３０】
このような排水経路１４によれば、枠材１２自体の隙間から枠材１２の内部への浸入水をこれらの排水経路が通り抜ける画設部２２ａ並びに内通水孔３３及び外通水孔３４を通じて枠材１２の外に排出することが可能となる。また、仮に浸入水が水蒸気３５となっても、排水経路が通り抜ける画設部２２ａと換気経路が通り抜ける画設部２２ｂとの間は、壁で仕切られており、水蒸気３５が相互に流通しないので、水蒸気３５が換気経路１５を通じて中間室１３に逆流することもない。すなわち、水蒸気３５は、図２に示すように、中間室１３の外側を排水経路１４を通じて上昇することとなって最終的には枠材１２の外へと排出されることになる。
【００３１】
なお、本実施の形態においては、中間室１３において結露水が発生しないことに加え、ガラス戸と枠材１２との隙間からの中間室１３への浸入水も、殆どないか、あっても極僅かであり、仮に僅かな浸入水が中間室１３で水蒸気３５となっても、後記するような中間室１３の空気についての十分な換気経路１５が意図的に確保されていることから、中間室１３から枠材１２の外までの排水経路１４は必要ないと考えられたため設けられていない。
【００３２】
（５）換気経路１５
換気経路１５は、排水経路１４が通り抜けない画設部２２を通り抜けるものであり、中間室１３の空気を建築物２の外に吐き出すための吐出経路１５ａと、外気を中間室１３に吸い込むための吸込経路１５ｂとから構成されるものである。
【００３３】
ここで、吐出経路１５ａは、図１及び図２に示すように、ゴムパッキン２４の上辺部２４ａに設けられている複数の吐出内通気孔３１と、吐出内通気孔３１が連通する画設部２２であって中間室１３の上縁部に隣接するものと、画設部２２に設けられた吐出外通気孔３２であって枠材１２の外に連通するものとから構成されている。
【００３４】
一方、吸込経路１５ｂは、これらの図に示すように、外側ガラス戸１１ａの下かまち２１ａ及び中間室１３の下縁部２３ａに隣接する画設部２２ｂに設けられている複数の吸込内通気孔３６と、吸込内通気孔３６が連通する画設部２２ｂと、画設部２２に設けられた吸込外通気孔３７であって枠材１２の外に連通するものとから構成されている。
【００３５】
すなわち、本実施の形態における二重ガラス窓１にあっては、吐出経路１５ａを通じて中間室１３の内部の暖かい軽い空気３８が建築物２の外に吐き出され、吸込経路１５ｂを通じて冷たい重い外気３９が中間室１３に吸い込まれるようになっており、中間室１３の空気についての十分な換気経路１５が意図的に確保されている。
【００３６】
また、換気経路１５は、排水経路１４が通り抜けない画設部２２を通り抜けることとなっている。ここで、前記したように、排水経路が通り抜ける画設部２２ａと換気経路が通り抜ける画設部２２ｂとの間ににおいては、空気が流通しないこととなっている。それゆえ、換気経路が通り抜ける画設部２２ｂの内部に浸入水が残存することは起こり得ない。
【００３７】
よって、浸入水が水蒸気３５となって換気経路１５を通じて中間室１３に逆流することもなく、中間室１３に湿った空気が滞留するようなこととはならない。
【００３８】
したがって、本実施の形態における二重ガラス窓１によれば、中間室１３の空気の湿度が少ないレベルに維持されることになるので、中間室１３の空気が外気で冷やされた外側ガラス戸１１ａの部屋２ｂ側ガラス表面に接することとなっても、結露が発生するような事態を招くこととはならない。
【００３９】
【発明の効果】
本発明によれば、以上のように構成したため、中間室において結露が発生しないように、中間室に湿った空気が滞留しないような二重ガラス窓を提供することが可能になる。
【図面の簡単な説明】
【図１】本発明の一実施の形態に係る二重ガラス窓の詳細構成を示す縦断面図である。
【図２】本発明の一実施の形態に係る二重ガラス窓の概略構成及び作用を示す横断面図である。
【符号の説明】
１…二重ガラス窓
２…建築物
２ａ…外周壁
２ｂ…部屋
１１…一対のガラス戸
１１ａ…外側ガラス戸
１１ｂ…内側ガラス戸
１２…枠材
１３…中間室
１４…排水経路
１５…換気経路
１５ａ…吐出経路
１５ｂ…吸込経路
２１…かまち
２１ａ…下かまち
２２…画設部
２２ａ…排水経路が通り抜ける画設部
２２ｂ…換気経路が通り抜ける画設部
２３ａ…下縁部
２４…ゴムパッキン（気密材）
２４ａ…上辺部
２４ｂ…下辺部
２４ｃ…立て辺部
３１…吐出内通気孔
３２…吐出外通気孔
３３…内通水孔
３４…外通水孔
３５…水蒸気
３６…吸込内通気孔
３７…吸込外通気孔
３８…暖かい軽い空気
３９…冷たい重い外気
【図１】
0004612222.tif 000002
【図２】
0004612222.tif 000003